(57)【要約】【課題】  シャワーヘッドを高い位置に支持した状態であってもホースは垂れ下がらないようして、しかも広い範囲での吐水を可能として作業性を維持することのできる吐水管及びその吐水管を備えた水栓を提供する。【解決手段】  吐水管１は、水栓４０に装着される基部１０と、この基部１０に回転自在に結合される支持部材２０と、この支持部材２０に結合されるホース２２とを備え、前記支持部材２０にはホース２２先端に接続したシャワーヘッド２３が支持される支持部３２が形成され、前記基部１０と支持部材３２とは、支持部材２０を起立する方向に付勢する復帰部材１５により回転自在に結合された。吐水管１を備えた水栓４０は、カウンター５０に固定される水栓本体４１と、この水栓本体４１に収容される混合弁４２と、この混合弁４２で調節された湯水が吐水される前記吐水管１とを備えた。【選択図】  図１
2005042433.tif 000002
【特許請求の範囲】
【請求項１】
水栓に装着される基部と、この基部に回転自在に結合される支持部材と、この支持部材に結合されるホースとを備え、前記支持部材にはホース先端に接続したシャワーヘッドが支持される支持部が形成され、前記基部と支持部材とは、支持部材を起立する方向に付勢する復帰部材により回転自在に結合されたことを特徴とする吐水管。
【請求項２】
前記支持部材はホースの結合面と支持部との間に連結部が形成され、この連結部は上面側を開口した半円筒状で、この連結部にホースが支持されるようにしたことを特徴とする請求項１に記載の吐水管。
【請求項３】
カウンターに固定される水栓本体と、この水栓本体に収容される混合弁と、この混合弁で調節された湯水が吐水される吐水管とを備え、この吐水管は水栓本体に装着される基部と、この基部に回転自在に結合される支持部材と、この支持部材に結合されるホースとを備え、前記支持部にはホース先端に接続したシャワーヘッドが支持される支持部が形成され、前記基部と支持部材とは、支持部材を起立する方向に付勢する復帰部材により回転自在に結合されたことを特徴とする吐水管を具備した水栓。
【請求項４】
前記支持部材はホースの結合部と支持部との間に連結部が形成され、この連結部は上面側を開口した半円筒状で、この連結部にホースが支持されるようにしたことを特徴とする請求項３に記載の吐水管を具備した水栓。
【発明の詳細な説明】
【技術分野】
【０００１】
本発明は、洗面台や流し台等で露出した状態のホース及びシャワーヘッドを支持する吐水管及びその吐水管を備えた水栓に関するものである。
【背景技術】
【０００２】
従来、この種の吐水管を備えた水栓として公知のものに、特許文献１のものがある。この従来技術について図５により簡単に説明すると、洗面台や流し台のカウンター６０上に固定された水栓６１は、水栓本体６２の上部に湯水の流量及び温度を調節するためのレバー６３を備えている。また、吐水管６４は水栓本体６２の外周面に対しカウンター６０と平行して回転自在に装着されており、内部には湯水を送り出すための湯水流出室６５が形成され、この湯水流出室６５と連通する湯水流出口部６６には屈曲自在なホース６７が接続され、このホース６７の先端にはシャワーヘッド６８が接続されている。そして、前記湯水流出口部６６の外周には支持スタンド６９が立設され、その先端の高い位置には支持部７０が設けられており、前記シャワーヘッド６８は支持部７０に着脱自在に支持される。前記ホース６７はカウンター６０上に露出した状態で配備されて、吐水管６４の湯水流出口部６６と支持部７０との間で露出した状態で支持されており、このホース６７により、水栓本体６２で流量及び温度が調節された湯水はシャワーヘッド６８に供給され、このシャワーヘッドから外部へ吐水されるものである。
【０００３】
【特許文献１】実公平３−４０９３６号公報（図１）
【発明の開示】
【発明が解決しようとする課題】
【０００４】
上記吐水管は、例えば洗面台で洗浄作業等を行なう場合に広い範囲で吐水できるようにするため、比較的長いホースが設けられているが、ホースを使用しない場合でもカウンターの上部で露出した状態で垂れ下がっており、湯水を吐水するためレバーを操作したり、吐水管を回転させたり、水栓の周囲で作業を行なう際に、露出したホースが邪魔になるうえ、見栄えが悪いものである。また、ホースが支持部から垂れ下がらないように短くすると、シャワーヘッドをホースと共に水栓本体から遠く離れた位置まで引っ張ることができなくなり、シャワーヘッドから吐水される湯水の吐水範囲が狭くなってしまい、作業性が低下するものであった。
【０００５】
この発明は、このような従来の技術に存在する問題点に着目したものであり、その目的は、シャワーヘッドを高い位置に支持した状態であってもホースは垂れ下がらないようして、しかも広い範囲での吐水を可能として作業性を維持することのできる吐水管を提供し、さらにその吐水管を具備した水栓を提供するものである。
【課題を解決するための手段】
【０００６】
上記目的を達成するため、請求項１に記載の発明による吐水管は、水栓に装着される基部と、この基部に回転自在に結合される支持部材と、この支持部材に結合されるホースとを備え、前記支持部材にはホース先端に接続したシャワーヘッドが支持される支持部が形成され、前記基部と支持部材とは、支持部材を起立する方向に付勢する復帰部材により回転自在に結合されたものである。
【０００７】
請求項２では請求項１記載の発明において、前記支持部材はホースの結合面と支持部との間に連結部が形成され、この連結部は上面側を開口した半円筒状で、この連結部にホースが支持されるようにしたものである。
【０００８】
請求項３に記載の発明による吐水管を具備した水栓は、カウンターに固定される水栓本体と、この水栓本体に収容される混合弁と、この混合弁で調節された湯水が吐水される吐水管とを備え、この吐水管は水栓本体に装着される基部と、この基部に回転自在に結合される支持部材と、この支持部材に結合されるホースとを備え、前記支持部にはホース先端に接続したシャワーヘッドが支持される支持部が形成され、前記基部と支持部材とは、支持部材を起立する方向に付勢する復帰部材により回転自在に結合されたものである。
【０００９】
請求項４では請求項３記載の発明において、前記支持部材はホースの結合部と支持部との間に連結部が形成され、この連結部は上面側を開口した半円筒状で、この連結部にホースが支持されるようにしたものである。
【発明の効果】
【００１０】
本発明の吐水管及び吐水管を具備した水栓によると、シャワーヘッドが支持部に支持された状態でホースは垂直部と支持部との間で垂れ下がっていないため、ホースが水栓の周囲で邪魔になるようなことがない。しかも洗面台で洗浄作業等を行なうため、ホースをカウンターに接近する方向に移動させると、支持部材は基部に対して回転して、起立した状態から倒されるため、垂直部の回転によりホースとの結合部が移動し、広い範囲での吐水が可能である。また、従来からカウンターに固定されている水栓の吐水管を、本発明の吐水管に付け替えるのみで、使い勝手のよい水栓に変更することができる。
【００１１】
またホースは半円筒状に形成された連結部の上部に支持され、覆い隠すことにより美感を向上させることができる。
【発明を実施するための最良の形態】
【００１２】
【実施例１】
【００１３】
以下、本発明の実施例１を図１乃至図３に基づいて詳細に説明する。
図１及び図２に示すように本発明の吐水管１は、水栓４０の外周面に回転自在に装着される基部１０と、この基部１０に対し回転自在に結合される支持部材２０と、この支持部材２０に結合され先端にシャワーヘッド２３が接続されるホース２２とを備え、支持部材２０にはシャワーヘッド２３が着脱自在に支持される支持部３２が形成されている。
【００１４】
前記基部１０は円筒状に形成された水栓本体４１に外嵌される略円筒状で、図２に示すように、内部には水栓本体４１で流量及び温度が調節された湯水が通過する流路１１が形成されている。また、基部１０は側面の一部に流路１１と連通する開口孔１２が形成され、この開口孔１２により水栓本体４１から流路１１に供給された湯水が支持部材２０へ供給されるもので、この開口孔１２の内周面には雌ねじ１３が形成されている。さらに開口孔１２の下部には、支持部材２０と平行方向となるように基部１０の側面から突出した第１固定軸１４が設けられ、この第１固定軸１４には、弾性力を備えた復帰部材１５を結合できるようにしている。
【００１５】
前記支持部材２０は基部１０に対し回転自在に結合されるものであり、円筒状の基部１０の側面と向かい合う平行部２４と、この平行部２４に対し略直角に折曲して上部に立ち上がる垂直部２５とが形成されている。前記平行部２４の基端には、基部１０の開口孔１２と向かい合うようにして雄ねじ２６が形成され、この雄ねじ２６は弾性力を備えたリング２７を外周に装着した状態で基部１０の雌ねじ１３に螺着することで、支持部材２０は基部１０に対し回転自在に結合することができる。
【００１６】
さらに支持部材２０の平行部２４には、垂直部２５が平行部２４に対し起立した状態での下面に第２固定軸２８が突出して設けられ、この第２固定軸２８には前記復帰部材１５の他端が強い弾性力で結合されるようにしている。なお、復帰部材は吐水管の垂直部を起立した状態から倒れる方向へ回転させた場合に、支持部材に対して加わる力を無くすと起立した状態へ復帰させることのできる強い弾性力を備えていればよく、例えばスプリング、板バネ、ゴム材等であってもよい。
【００１７】
前記支持部材２０の垂直部２５は、平行部２４から起立する略直角方向に立ち上がり、内部は平行部２４から供給される湯水が通過し、上端にはホース２２が結合される結合面３０が形成されている。この結合面３０から上部傾斜方向には、上面が開口するように半円筒状に形成された連結部３１と、この連結部３１の先端に形成された支持部３２とが設けられ、この支持部３２には、ホース２２の先端に接続されたシャワーヘッド２３が着脱自在に支持されるものである。なお、本実施例では連結部は上面が開口しているが、下面が開口するように形成してもよい。
【００１８】
前記ホース２２は自由に屈曲させることができるように、塩化ビニールやポリエチレン等による樹脂ホースや、湾曲自在な螺旋状のメタルホース等、柔軟性を備えた材質により形成されており、その基端は支持部材２０の垂直部２５上端に形成された結合面３０に結合されるものであり、その他端にはシャワーヘッド２３が接続され、このシャワーヘッド２３によりホース２２から供給される湯水が外部へ吐水される。
【００１９】
前記シャワーヘッド２３は湯水を使用しない通常の状態では支持部３２に着脱自在に支持されており、必要に応じて支持部３２から自由に取り出すことのできるものであり、例えば本発明の吐水管１を装着した水栓４０を流し台や洗面台で使用すると、ホース２２及びシャワーヘッド２３は結合面３０を中心にして、水栓本体４１に対し自由な位置に移動させることができるものである。
【００２０】
水栓４０は縦長の円筒状に形成された水栓本体４１が、流し台や洗面台等のカウンター５０に起立した状態で固定されるものである。水栓本体４１の内部には湯と水とを混合し、温度及び流量を調節することのできる混合弁４２が装着されている。
【００２１】
前記混合弁４２は水栓本体４１の内部で吐水管１の流路１１と連通し、この混合弁４２と上部で連繋したレバー４３を上下又は左右に操作することで、吐水管１の流路１１に供給される湯水の流量又は温度の調節が可能である。なお、水栓は本実施例で示したシングルレバー式に限らず、サーモスタット式或いは２ハンドル式であってもよい。
【００２２】
図１は本発明の吐水管１を水栓本体４１の外周面に装着した状態であり、ホース２２先端のシャワーヘッド２３は支持部材２０の支持部３２に支持され、ホース２２は連結部３１の上側に支持されている。従ってホース２２は吐水管１からカウンター５０に向けて垂れ下がってはいない状態である。
【００２３】
次に、シャワーヘッド２３を支持部３２から外し、図３に示すようにシャワーヘッド２３をカウンター５０に接近させる方向に移動させると、吐水管１は支持部材２０が基部１０に対して回転自在に結合されているので、支持部材２０が基部１０に対し回転する。従ってシャワーヘッド２３が接続されたホース２２と共に、支持部材２０の垂直部２５も起立した状態からカウンター５０と接近する方向に倒れるため、シャワーヘッド２３をホース２２と共に広い範囲で移動させることができる。この場合、支持部材２０は復帰部材１５により強い弾性力が付与された状態で基部１０に対して回転するので、シャワーヘッド２３をカウンター５０に接近する方向に加えていた力を緩めると、復帰スプリング１５の弾性力により支持部材２０はカウンター５０側に倒れた状態から、図１に示す起立状態に復帰する。
【００２４】
以上のように本発明の吐水管を水栓本体に装着すると、シャワーヘッドが支持部に支持された状態でホースは垂直部と支持部との間で垂れ下がっていないため、ホースが水栓の周囲で邪魔になるようなことがない。しかも洗面台で洗浄作業等を行なうため、シャワーヘッドをホースと共にカウンターに接近する方向に移動させると、支持部材は基部に対して回転して起立した状態から倒されるため、垂直部の回転によりホースとの結合部が移動し、広い範囲での吐水が可能である。
【実施例２】
【００２５】
図４は実施例２の吐水管である。前記実施例では吐水管の基部と支持部材とを結合する復帰部材が外部に露出していたが、本実施例の吐水管１ａでは復帰部材が外部に露出しないようにした。即ち、基部１０の開口孔１２内周面に第１固定軸１４ａが形成され、支持部材２０は雄ねじ２６に第２固定軸２８ａが形成され、復帰部材１５は互いの固定軸１４ａ，２８ａに結合する。なお、その他の構成は前記実施例による吐水管と同一であり、その説明を省略する。このように本実施例では復帰部材は基部の開口孔に収容され、外部に露出しないようにしている。従って美感を向上させることができるうえ、復帰部材が吐水管から外れてしまうことがない。
【図面の簡単な説明】
【００２６】
【図１】本発明の吐水管を水栓に装着した状態の斜視図である。
【図２】吐水管の一部分解説明図である。
【図３】図１の吐水管において、ホースを倒した状態の説明図である。
【図４】別の実施例による吐水管の説明図である。
【図５】従来技術の説明図である。
【符号の説明】
【００２７】
１，１ａ          吐水管
１０              基部
１５              復帰部材
２０              支持部材
２２              ホース
２３              シャワーヘッド
３１，３１ａ      連結部
３２，３２ａ      支持部
４０              水栓
４１              水栓本体
４２              混合弁
５０              カウンター
【図１】
2005042433.tif 000003
【図２】
2005042433.tif 000004
【図３】
2005042433.tif 000005
【図４】
2005042433.tif 000006
【図５】
2005042433.tif 000007